(57)【要約】【課題】充電動作中には常に中央処理部が動作していることにより充電時間が長くなってしまう課題が発生するため、充電動作中の中央処理部動作を低減し、充電時間を短くする非接触充電式情報端末装置を提供することを目的とする。【解決手段】充電器の送電コイルから電磁誘導により電力を誘起する受電コイル１６と、前記充電器に載置されたことを検出する充電器検出部９と、前記充電器に載置されたことを報知する充電報知部２と、前記充電器検出部からの信号に基づいて前記充電報知部に報知を開始させる充電報知駆動部とを備える。この構成により、中央処理部を介すことなく、充電器に載置されたことを外部へ報知することができる。【選択図】図１
2005269729.tif 000002
【特許請求の範囲】
【請求項１】
各部の制御を行う中央処理部と、充電器の送電コイルから電磁誘導により電力を誘起する受電コイルと、前記受電コイルが誘起した電力により充電可能な充電池と、前記充電器に載置されたことを検出する充電器検出部と、前記充電器に載置されたことを外部に報知する充電報知部と、前記中央処理部の制御とは無関係に前記充電器検出部からの信号に基づいて前記充電報知部の制御を行う充電報知駆動部とを備えた非接触充電式情報端末装置。
【請求項２】
各部の制御を行う中央処理部と、充電器の送電コイルから電磁誘導により電力を誘起する受電コイルと、前記受電コイルが誘起した電力により充電可能な充電池と、前記充電池の電圧を検出しこの電圧とあらかじめ設定された非接触充電式情報端末装置を起動させることが可能な電圧とを比較する起動電圧検出部と、前記非接触充電式情報端末装置の起動可否状態を報知する起動可否報知部と、前記中央処理部の制御とは無関係に前記起動電圧検出部の比較結果に基づいて起動が可能な場合は可能な旨の情報を外部に報知し、起動が不可能である場合は不可能である旨の情報を外部に報知するように前記起動可否報知部を制御する起動可否報知部とを備えた非接触充電式情報端末装置。
【請求項３】
充電池の電圧を検出してこの電圧とあらかじめ設定された前記充電池の充電完了電圧とを比較する満電圧検出部を備え、前記充電池の電圧が充電完了電圧である場合には前記満電圧検出部からの信号に基づいて起動可否報知部の報知を停止する請求項２に記載の非接触充電式情報端末装置。
【請求項４】
各部の制御を行う中央処理部と、充電器の送電コイルから電磁誘導により電力を誘起する受電コイルと、前記受電コイルが誘起した電力により充電可能な充電池と、前記充電池の電圧を検出しこの電圧とあらかじめ設定された非接触充電式情報端末装置を起動させることが可能な電圧とを比較する起動電圧検出部と、非接触充電式情報端末装置の電源入力指示を入力する電源入力部と、前記電源入力部からの信号と前記起動電圧検出部からの信号に基づいて前記非接触充電式情報端末装置の起動を制御する電源入り切り部とを備え、前記起動電圧検出部からの信号が、充電池の電圧が起動させることが可能な電圧より低いことを示す信号である場合には、前記電源入り切り部は電源入力部から電源入りの信号が入力されても前記非接触充電式情報端末装置の起動をさせないように制御し、起動をさせない充電中は前記中央処理部と前記充電池とは接続されないことを特徴とする充電式情報端末装置。
【請求項５】
各部への電源の供給を充電池から行うか受電コイルから行うかを切り換える電源切換部を備え、前記充電池の電圧が非接触充電式情報端末装置を起動可能な電圧より低い場合には、前記切換部は前記受電コイルから各部へ電源の供給を可能とする請求項２に記載の非接触充電式情報端末装置。
【請求項６】
充電報知部はＬＥＤからなる請求項１に記載の非接触充電式情報端末装置。
【請求項７】
充電報知部は発光色が異なる２つのＬＥＤからなる請求項１に記載の非接触充電式情報端末装置。
【請求項８】
起動可否報知部はＬＥＤからなる請求項２または３記載の非接触充電式情報端末装置。
【請求項９】
起動可否報知部は発光色が異なる２つのＬＥＤからなる請求項２または３記載の非接触充電式情報端末装置。
【発明の詳細な説明】
【技術分野】
【０００１】
本発明は、電磁誘導を利用して非接触で充電を行う充電式装置に関するものである。
【背景技術】
【０００２】
近年、電動ハブラシ、ＰＨＳ（Ｐｅｒｓｏｎａｌ  Ｈａｎｄｙｐｈｏｎｅ  Ｓｙｓｔｅｍ）、コードレス電話などの充電方式として、電磁誘導を利用した非接触充電が広く普及している。また、電子カメラなどの情報端末装置においても同様の非接触充電装置が提案されている（例えば、特許文献１参照）。
【０００３】
この非接触充電方式は、電流路を電気的に接続して充電用の電力の供給を行ういわゆる接触式の充電方式と比較すると、充電用電極が外部に直接さらされていないため、充電用電極からの静電気の印加による装置破壊や動作異常、また、充電用電極部劣化による充電不良が発生しにくいという特徴が挙げられる。
【０００４】
図８に、従来の非接触充電式情報端末装置１００と充電器３０のブロック図を示す。図８に示す非接触充電式情報端末装置１００は、受電コイル１６と、充電部１５と、充電器検出部９と、充電池１４と、電源部１３と、中央処理部１０３と、充電報知部１０１と、充電報知駆動部１０２から構成されている。また、送電コイル３１と、送電部３２と、制御部３３から構成されている。
【０００５】
以上のように構成された従来の非接触充電式情報端末装置１００について、その動作を説明する。充電器３０は、制御部３３で発生された信号に基づき、送電部３２は送電コイル３１へ電力を供給するものである。非接触充電式情報端末装置１００を充電器３０に載置すると、充電器３０の送電コイル３１との電磁誘導により、受電コイル１６に電力が供給され、この電力は、充電部１５と充電器検出部９へ供給される。この充電器検出部９は、非接触充電式情報端末装置１００が充電器３０へ載置されたことを示す信号を発生し、充電部１５は充電器検出部９で発生した信号に基づいて充電池１４への充電を開始して充電を行う。また、中央処理部１０３は充電器検出部９で発生した信号に基づき、充電動作中などの充電に関する情報を報知する充電報知部１０１の駆動を行う充電報知駆動部１０２へ制御信号を送信し、充電報知部１０１により充電が行われていることを報知する。
【特許文献１】特開２００３−１３４６９９号公報
【発明の開示】
【発明が解決しようとする課題】
【０００６】
近年、情報端末装置においては、無線通信や画像処理など消費電力の大きい処理が増加する一方で装置の動作時間の伸張が望まれており、それに対応すべく電池容量の増加が進んでいる。しかしながら、非接触式の充電方式には、電力の供給能力が通常数百ｍＡと接触式の充電方式と比較して低いため電池を完全に充電にするまでには長い時間を要してしまうという課題がある。また、従来の非接触充電式情報端末装置１００では、充電報知部１０１を駆動するための制御を中央処理部１０３により行っているため、充電動作中には常に中央処理部１０３が動作していることになり、これは実質的に充電するための電流が低下したのと同じ状態となるため、より充電時間が長くなってしまう課題を有している。
【０００７】
本発明では、充電動作中の中央処理部での動作を低減し、中央処理部の消費電流を低減させることで充電池の充電時間を短くする非接触充電式情報端末装置を提供することを目的とする。
【課題を解決するための手段】
【０００８】
上記課題を解決するために、本発明の非接触充電式情報端末装置は、各部の制御を行う中央処理部と、充電器の送電コイルから電磁誘導により電力を誘起する受電コイルと、前記受電コイルが誘起した電力により充電可能な充電池と、前記充電器に載置されたことを検出する充電器検出部と、前記充電器に載置されたことを外部に報知する充電報知部と、前記充電器検出部からの信号に基づいて前記充電報知部の制御を行う充電報知駆動部とを備えるものである。この構成により、前記中央処理部を介すことなく、前記充電器に載置されたことを外部に報知することができる。
【０００９】
また、本発明の非接触充電式情報端末装置は、充電池の電圧を検出しこの電圧とあらかじめ設定された非接触充電式情報端末装置を起動させることが可能な電圧とを比較する起動電圧検出部と、前記起動電圧検出部の比較結果に基づいた情報を外部に報知する起動可否報知部を備えるものである。この構成により、起動が可能な場合は可能な旨の情報を報知し起動が不可能である場合は不可能である旨の情報を外部に報知することができる。
【００１０】
また、本発明の非接触充電式情報端末装置は、充電池の電圧を検出しこの電圧とあらかじめ設定された前記充電池の充電完了電圧とを比較する満電圧検出部とを備えたものである。この構成により、前記充電池の電圧が充電完了電圧である場合には前記満電圧検出部からの信号に基づいて起動可否報知部の報知を停止することができる。
【００１１】
また、本発明の非接触充電式情報端末装置は、非接触充電式情報端末装置の電源入力指示を入力する電源入力部と、前記電源入力部からの信号と起動電圧検出部からの信号に基づいて前記非接触充電式情報端末装置の起動を制御する電源入り切り部とを備えたものである。この構成により、前記起動電圧検出部からの信号が、充電池の電圧が起動させることが可能な電圧より低いことを示す信号である場合には、前記電源入り切り部は電源スイッチから電源入りの信号が入力されても前記非接触充電式情報端末装置の起動をさせないように制御することができる。
【００１２】
また、本発明の非接触充電式情報端末装置は、各部への電源の供給を充電池から行うか受電コイルから行うかを切り換える電源切換部を備えたものである。この構成により、前記充電池の電圧が非接触充電式情報端末装置を起動可能な電圧より低い場合には、前記電源切換部は前記受電コイルから各部へ電源の供給を可能とすることができる。
【発明の効果】
【００１３】
以上のように、本発明の非接触充電式情報端末装置によれば、中央処理部を介することなく充電報知部と起動可否報知部を制御できるので、充電動作中の中央処理部での動作を低減でき、中央処理部での消費電流を低減でき、充電時間の短縮を実現することができる。
【発明を実施するための最良の形態】
【００１４】
以下、本発明の実施の形態について図１から図７を用いて説明する。
【００１５】
（実施の形態１）
図１は、本実施の形態の非接触充電式情報端末装置１および充電器３０のブロック図である。なお、この非接触充電式情報端末装置１の例としては、バーコードなどの光学情報を読み取るハンディーターミナルや、伝道歯ブラシ等が挙げられる。実施の形態では、主に、ハンディーターミナルとして説明する。
【００１６】
図１に示すように、非接触充電式情報端末装置１は、充電以外の各部の制御を行う中央処理部１０と、充電器３０から電磁誘導により電力供給を受ける受電コイル１６と、受電コイル１６の出力に基づいて非接触充電式情報端末装置１が充電器３０に載置されたことを検出する信号を発生する充電器検出部９と、充電池１４と、この充電池１４の充電を行う充電部１５と、各部に電源を供給する電源部１３と、充電池１４の電圧が非接触充電式情報端末装置１を起動可能な電圧であるか否かを示す信号を出力する起動電圧検出部７と、充電池１４の電圧が充電完了の電圧であるか否かを示す信号を出力する満電圧検出部８と、非接触充電式情報端末装置１を起動（電源ＯＮ）するもしくは電源ＯＦＦする情報を入力するための電源スイッチ１２と、この電源スイッチ１２からの信号と起動電圧検出部７からの信号に基づいて電源部１３をＯＮして各部に電源を供給させるか、ＯＦＦして各部に電源を供給させないかを選択する電源入り切り部６と、非接触充電式情報端末装置１が充電器３０に載置されていることを外部へ報知する充電報知部２と、この充電報知部２を駆動するための充電報知駆動部５と、充電池１４の充電状態などの電圧状態を外部へ報知する起動可否報知部３と、起動電圧検出部７や満電圧検出部８や充電器検出部９からの信号に基づいて起動可否報知部３を駆動する起動可否報知駆動部４を備えている。さらに、バーコードまたは２次元コードなどの光学情報を読み取るためのスキャナ部１８と、キャラクタやグラフィックを表示するためのＬＣＤ（Ｌｉｑｕｉｄ  Ｃｒｙｓｔａｌ  Ｄｉｓｐｌａｙ）部２２と、他の装置と無線通信を行う無線通信部２３と、データ等が保存されるメモリ部１９から構成される。
【００１７】
また、充電器３０は制御部３３と、送電部３２と、送電コイル３１から構成される。なお、充電器３０は従来の非接触充電式情報端末装置と同様であるので、詳細の説明は省略する。
【００１８】
ここで、図３を用いて、非接触充電式情報端末装置１の各部の状態と出力信号について説明する。図３は非接触充電式情報端末装置１の各部の状態と出力信号の関係を示す図である。図３より、充電器検出部９は受電コイル１６の出力に基づいて、非接触充電式情報端末装置１が充電器３０に載置されたことを検出すればＨＩ（ハイレベルの信号）を出力し、検出しなければＬＯＷ（ロウレベルの信号）を出力するものとする。また、満電圧検出部８は充電池１４の電圧が予め設定された充電完了電圧より低ければＨＩを出力し、高ければＬＯＷを発生するものとする。また、起動電圧検出部７は、充電池１４の電圧が非接触充電式情報端末装置１を起動可能な電圧より低ければＨＩを出力し、高ければLOWを出力するものとする。これら、充電検出部９、満電圧検出部８、起動電圧検出部７は、抵抗などから構成され信号を出力する回路として実現される。また、電源スイッチ１２は電源ＯＮが支持されている場合にはＨＩを出力し、電源ＯＦＦが支持されている場合はＬＯＷを出力するものとする。なお、このスイッチ１２は非接触充電式情報端末装置１に設けられた押しボタンなどで実現される。また、電源部１３は、ＨＩが入力されると充電池１４から非接触充電式情報端末装置１の各部に電源を供給させ、ＬＯＷが入力されると受電池１４から非接触充電式情報端末装置１の各部への電源の供給を停止させるスイッチの機能を有するものであり、抵抗等を用いた回路として実現される。
【００１９】
なお、本実施の形態では、充電報知部２および起動可否報知部３の一例として、ＬＥＤ（Ｌｉｇｈｔ  Ｅｍｉｔｔｉｎｇ  Ｄｉｏｄｅ）を使用したものについて説明する。充電報知部２は図５で示すＬＥＤ４２、起動可否報知部３は図６で示すＬＥＤ４７で示される。
【００２０】
ここで、図６に示す２色ＬＥＤからなるＬＥＤ４７の点灯状態と点灯色について図４を用いて説明する。ＬＥＤ４７には２つのＬＥＤが内蔵されており、ＬＥＤ４７ａで表す１つのＬＥＤは赤色ＬＥＤ、もう１つのＬＥＤ４７ｂは緑色ＬＥＤであり、ＬＥＤ４７ａとＬＥＤ４７ｂの両方を同時に点灯させると橙色ＬＥＤとなる。
【００２１】
次に、図１を用いて、非接触充電式情報端末装置１の動作について説明する。
【００２２】
非接触充電式情報端末装置１が充電器３０に載置されると、充電器３０の送電コイル３１との電磁誘導により受電コイル１６に電力が誘起され、この電力に基づいて充電器検出器９から非接触充電式情報端末装置１が充電器３０に載置されたことを示すＨＩ信号が出力され、充電部１５は充電器検出器９からのＨＩ信号に基づいて充電を開始し、受電コイル１６で誘起した電力により充電池１４の充電が行なわれる。なお、充電部１５は整流機能を有する回路として実現される。
【００２３】
次に、非接触充電式情報端末装置１の充電状態の報知について、図５を用いて説明する。なお、図５において、受電コイル１６により誘起された電圧をＶＣＨＧとして記す。また、図５は非接触充電式情報端末装置１が充電中であることを報知するための充電報知部２の一例であるＬＥＤ４２と、充電報知駆動部５を構成する回路例を示す図である。なお、図５に示す抵抗４１を充電報知駆動部５と呼ぶことにする。
【００２４】
図５において、非接触充電式情報端末装置１が充電器３０に載置されると、受電コイル１６により電圧ＶＣＨＧが誘起され、この電圧ＶＣＨＧが抵抗４１およびＬＥＤ４２に印加されることで抵抗４１を介してＬＥＤ４２に電流が流れ、この電流によりＬＥＤ４２が点灯して非接触充電式情報端末装置１が充電器３０に載置されたことを外部に報知することができる。
【００２５】
このように、受電コイル１６と充電器検出部９と充電報知駆動部５により充電報知部２の制御を行う構成としたことにより、非接触充電式情報端末装置１内の制御を行うＣＰＵ（Ｃｅｎｔｒａｌ  Ｐｒｏｃｅｓｓｉｎｇ  Ｕｎｉｔ）などとして実現される中央処理部１０を介すことなく、簡単な構成で充電の報知が可能となる。そして、中央処理部１０を介すことなく報知が可能となることで、充電動作中の中央処理部１０の動作を低減して中央処理部１０での消費電流を低減することができるので、充電池１４の充電時間の短縮を実現することができる。
【００２６】
さらに、ＬＥＤ４２に高輝度型のＬＥＤを使用することでＬＥＤ４２に流す電流を数ｍＡ程度まで低減することができ、充電電流に対して無視するできる大きさの電流値とすることができる。
【００２７】
次に、非接触充電式情報端末装置１における充電の進捗状況の報知について、図６を用いて説明する。なお、図６において、図５と同様に受電コイル１６により誘起された電圧をＶＣＨＧとして記す。図６は、起動可否報知部３の一例であるＬＥＤ４７と、起動可否報知駆動部４を構成する回路例を示す図である。
【００２８】
また、進捗状況の報知の例として、充電池１４の電圧が非接触充電式情報端末装置１を起動可能な電圧より低い場合の報知例としてＬＥＤ４７を橙色点灯させる場合、充電池１４の電圧が非接触充電式情報端末装置１を起動可能な電圧より高いが充電完了する電圧より低い場合の報知例としてＬＥＤ４７を赤色点灯させる場合、充電池１４の電圧が充電完了電圧より高い場合の報知例としてＬＥＤ４７を点灯させない場合の３つについて説明する。
【００２９】
まず、充電池１４の電圧が非接触充電式情報端末装置１を起動可能な電圧より低い場合の報知例としてＬＥＤ４７を橙色点灯させる場合について説明する。
【００３０】
図６において、非接触充電式情報端末装置１が充電器３０に載置されるとＶＣＨＧが誘起され、そのとき、充電池１４の電圧が非接触充電式情報端末装置１を起動可能な電圧より低ければ、図３で示したように、起動電圧検出部７および満電圧検出部８からＨＩ信号がそれぞれ出力され、このＨＩ信号によりトランジスタ４４はＯＮ状態となりＬＥＤ４７ａが赤色点灯し、トランジスタ４９もＯＮ状態となりＬＥＤ４７ｂが緑色点灯し、結果としてＬＥＤ４７は橙色点灯となる。これにより、充電状態は非接触充電式情報端末装置１の起動不可能な状態であることを報知できる。
【００３１】
次に、充電池１４の電圧が非接触充電式情報端末装置１を起動可能な電圧より高いが充電完了する電圧より低い場合の報知例としてＬＥＤ４７を赤色点灯させる場合について説明する。
【００３２】
図６において、非接触充電式情報端末装置１が充電器３０に載置されるとＶＣＨＧが誘起され、そのとき、充電池１４の電圧が非接触充電式情報端末装置１を起動可能な電圧より高いが充電完了する電圧より低ければ、図３で示したように、起動電圧検出部７からＬＯＷ信号出力され、満電圧検出部８からＨＩ信号が出力されるので、トランジスタ４４はＯＮ状態となりＬＥＤ４７ａが赤色点灯し、トランジスタ４９はＯＦＦ状態でＬＥＤ４７ｂは消灯となり、結果としてＬＥＤ４７は赤色点灯となる。これにより、充電は完了していないが非接触充電式情報端末装置１の起動は可能な状態であることを報知できる。
【００３３】
次に、充電池１４の電圧が充電完了電圧より高い場合の報知例としてＬＥＤ４７を点灯させない場合について説明する。
【００３４】
図６において、非接触充電式情報端末装置１が充電器３０に載置されるとＶＣＨＧが誘起され、そのとき、充電池１４の電圧が充電完了電圧より高ければ、図３で示したように、起動電圧検出部７からＬＯＷ信号が、満電圧検出部８からもＬＯＷ信号が発生するので、トランジスタ４４はＯＦＦ状態でありＬＥＤ４７ａは消灯しており、トランジスタ４９もＯＦＦ状態でありＬＥＤ４７ｂも消灯となり、結果としてＬＥＤ４７は消灯となる。これにより、充電が完了した状態であることを報知できる。
【００３５】
以上により、充電中の充電池１４の電圧状態をＬＥＤ４７により外部へ報知することができる。
【００３６】
さらに、受電コイル１６と充電器検出部９と起動電圧検出部７と満電圧検出部８と起動可否報知駆動部４により起動可否報知部３の制御を行う構成としたことにより、非接触充電式情報端末装置１内の制御を行うＣＰＵ（Ｃｅｎｔｒａｌ  Ｐｒｏｃｅｓｓｉｎｇ  Ｕｎｉｔ）などとして実現される中央処理部１０を介すことなく、充電進捗状態の報知が可能となる。そして、中央処理部１０を介すことなく報知が可能となることで、充電動作中の中央処理部１０の動作を低減して中央処理部１０での消費電流を低減することができるので、充電池１４の充電時間の短縮を実現することができる。
【００３７】
さらに、ＬＥＤ４７に高輝度型のＬＥＤを使用することでＬＥＤ４７に流す電流を数ｍＡ程度まで低減することができ、充電電流に対して無視するできる大きさの電流値とすることができる。
【００３８】
次に、充電池１４の電圧に基づく非接触充電式情報端末装置１の起動制御について、説明する。
【００３９】
図７は図１に示す電源入り切り部６を構成する回路例を示す図である。図７において、充電池１４の電圧が非接触充電式情報端末装置１を起動可能な電圧より低ければ、図３に示したように、起動電圧検出部７からＨＩ信号が出力され、このＨＩ信号が入力されたインバータ５０の出力は反転してＬＯＷとなる。この状態で図１に示す電源スイッチ１２がＯＮされても電源部１３への入力信号であるＡＮＤゲート５１の出力はＬＯＷの状態のままなので、非接触充電式情報端末装置１は起動しない。
【００４０】
一方、充電池１４の電圧が非接触充電式情報端末装置１を起動可能な電圧より高ければ、図３に示したように、起動電圧検出部７からＬＯＷ信号が出力され、このＬＯＷ信号が入力されたインバータ５０の出力はＨＩとなる。この状態で図１に示す電源スイッチ１２がＯＮされれば、電源部１３への入力信号であるＡＮＤゲート５１の出力はＨＩとなるので、非接触充電式情報端末装置１を起動させることができる。なお、電源スイッチ１２をＯＦＦすれば、ＡＮＤゲート５１の出力がＬＯＷとなるので、非接触充電式情報端末装置１の電源をＯＦＦすることができる。
【００４１】
このように、充電池１４の電圧が非接触充電式情報端末装置１を起動可能な電圧より低い場合には、電源スイッチ１２がＯＮされても非接触充電式情報端末装置１は起動されないので、充電池１４から電源部１３を介して非接触充電式情報端末装置１内の各部へ電流が供給されることはなく、充電地１４は消費されず充電のみが行われる。
【００４２】
このようにすることで、充電池１４の電圧が非接触充電式情報端末装置１を起動可能な電圧より低い場合の非接触充電式情報端末装置１の起動を防止できる。これにより、充電中であっても充電池１４が消費され、充電池１４の電圧の低下による非接触充電式情報端末装置１の急な停止が起こることによるデータ喪失などを防止でき、特に、充電電流よりも消費電流が大きい場合には有効である。
【００４３】
（実施の形態２）
本実施の形態において実施の形態１と同様の構成については同一の番号を付して詳細な説明を省略する。図２は、本実施の形態の非接触充電式情報端末装置１および充電器３０のブロック図である。実施の形態１と異なるのは、図２に示すように、電源部１３への電源供給を充電池１４から行うのか受電コイル１６から行うのかを切り換える電源切換部１１を設けた点である。なお、電源切換部１１は、ＨＩが入力されると各部の電源の供給元を受電コイル１６とし、ＬＯＷが入力されると各部の電源の供給元を充電池１４とするものである。
【００４４】
図２において、電源切換部１１は、起動電圧検出部７により制御される。電源切換部１１は、充電池１４の電圧が非接触充電式情報端末装置１を起動可能な電圧より低い場合には、受電コイル１６を電源部１３の電源供給元となるように回路を切り換え、充電池１４の電圧が起動可能な電圧より高い場合には充電池１４を電源部１３の電源供給元とするように回路を切り換える。これにより、充電池１４の電圧が非接触充電式情報端末装置１を起動可能な電圧より低いときでも、受電コイル１６から電源の供給を受けて非接触充電式情報端末装置１を起動することができ、非接触充電式情報端末装置１に設けられているスキャナ部１８や無線部２３などの各機能を使うことができる。
【産業上の利用可能性】
【００４５】
以上のように、本発明の非接触充電式情報端末装置は、充電報知部と起動可否報知部を中央処理部を介することなく制御するので、充電動作中の中央処理部での動作を低減して充電時間を低減することができるので、電磁誘導を利用した非接触充電を行う情報端末装置として有用である。
【図面の簡単な説明】
【００４６】
【図１】実施の形態１における非接触充電式情報端末装置および充電器のブロック図
【図２】実施の形態２における非接触充電式情報端末装置および充電器のブロック図
【図３】非接触充電式情報端末装置の各部の状態と出力信号の関係を示す図
【図４】ＬＥＤの点灯状態と点灯色を示す図
【図５】充電報知部と充電報知駆動部を構成する回路例を示す図
【図６】起動可否報知部と起動可否報知駆動部を構成する回路例を示す図
【図７】電源入り切り部を構成する回路例を示す図
【図８】従来の非接触充電式情報端末装置および充電器のブロック図
【符号の説明】
【００４７】
１  非接触充電式情報端末装置
２  充電報知部
３  起動可否報知部
４  起動可否報知駆動部
５  充電報知駆動部
６  電源入り切り部
７  起動電圧検出部
８  満電圧検出部
９  充電器検出部
１０  中央処理部
１１  電源切換部
１２  電源スイッチ
１３  電源部
１４  充電池
１５  充電部
１６  受電コイル
１８  スキャナ部
１９  メモリ部
２２  ＬＣＤ部
２３  無線通信部
３０  充電器
３１  送電コイル
３２  送電部
３３  制御部
【図１】
2005269729.tif 000003
【図２】
2005269729.tif 000004
【図３】
2005269729.tif 000005
【図４】
2005269729.tif 000006
【図５】
2005269729.tif 000007
【図６】
2005269729.tif 000008
【図７】
2005269729.tif 000009
【図８】
2005269729.tif 000010